(57)【要約】【課題】狭いスペースでも配置可能なヒュージブルリンクユニットを提供する。【解決手段】複数の可溶体部が設けられたヒューズエレメントと、ヒューズエレメントを絶縁性の樹脂でモールドした樹脂成形部７とを備え、ヒューズエレメントは、バッテリ端子接続部１３と、オルタネータ接続部１５と、折り曲げ部１７と、電源供給接続部１９とを有したヒュージブルリンクユニット１において、電源供給接続部１９を、バッテリ９の側面に近接配置した。【選択図】図１
2010170822.tif 000002
【特許請求の範囲】
【請求項１】
少なくとも１つの可溶体部が設けられたヒューズエレメントと、該ヒューズエレメントを絶縁性の樹脂でモールドした樹脂成形部とを備え、前記ヒューズエレメントは、導電性の平板状に形成されバッテリの上面に設けられたバッテリ端子に接続されるバッテリ端子接続部と、該バッテリ端子接続部と連続する一部材で前記バッテリの上面側に延設されオルタネータに接続されるオルタネータ接続部と、該オルタネータ接続部と連続する一部材で前記バッテリの側面側に折り曲げ形成された折り曲げ部と、該折り曲げ部と連続する一部材で前記バッテリの側面側に延設され電源を供給する電源供給接続部とを有したヒュージブルリンクユニットであって、
前記電源供給接続部は、前記バッテリの側面に近接配置されていることを特徴とするヒュージブルリンクユニット。
【請求項２】
請求項１記載のヒュージブルリンクユニットであって、
前記電源供給接続部は、前記折り曲げ部よりも前記バッテリの側面側に配置されていることを特徴とするヒュージブルリンクユニット。
【請求項３】
請求項１又は２記載のヒュージブルリンクユニットであって、
前記折り曲げ部は、前記樹脂成形部から外部に露出して設けられていることを特徴とするヒュージブルリンクユニット。
【発明の詳細な説明】
【技術分野】
【０００１】
本発明は、車両に搭載されたバッテリに接続されるヒュージブルリンクユニットに関する。
【背景技術】
【０００２】
従来、バッテリに設けられたバッテリ端子に接続されるヒュージブルリンクユニットとしては、ヒューズエレメントにヒンジ部を設け、ヒューズエレメントのヒンジ部の両側を樹脂ボディで一体成形したヒューズユニットが知られている（例えば、特許文献１参照）。
【０００３】
このヒュージブルリンクユニットでは、ヒューズエレメントに樹脂ボディで一体成形した後、樹脂ボディから外部に露出したヒンジ部で折り曲げ形成させている。そして、一方の樹脂ボディをバッテリの上面側に配置してバッテリ端子やオルタネータに接続し、他方の樹脂ボディをバッテリの側面側に配置して電気接続箱などに接続されるワイヤハーネスに接続している。
【先行技術文献】
【特許文献】
【０００４】
【特許文献１】特開２００１−２９７６８３号公報
【発明の概要】
【発明が解決しようとする課題】
【０００５】
しかしながら、上記のようなヒュージブルリンクユニットでは、他方の樹脂ボディをバッテリの側面側に配置しているが、一方の樹脂ボディと他方の樹脂ボディとがヒンジ部を介して連結されており、他方の樹脂ボディをヒンジ部で折り曲げてしまうと、他方の樹脂ボディがバッテリの側面側に張り出して配置されてしまう。このため、バッテリの周辺に配置される周辺部材、特にバッテリの側面側に配置される周辺部材と干渉する恐れがあると共に、バッテリの側面側と周辺部材との間のスペースが狭い場合、ヒュージブルリンクユニットを組付けることができない可能性があった。
【０００６】
そこで、この発明は、狭いスペースでも配置可能なヒュージブルリンクユニットの提供を目的としている。
【課題を解決するための手段】
【０００７】
請求項１記載の発明は、少なくとも１つの可溶体部が設けられたヒューズエレメントと、該ヒューズエレメントを絶縁性の樹脂でモールドした樹脂成形部とを備え、前記ヒューズエレメントは、導電性の平板状に形成されバッテリの上面に設けられたバッテリ端子に接続されるバッテリ端子接続部と、該バッテリ端子接続部と連続する一部材で前記バッテリの上面側に延設されオルタネータに接続されるオルタネータ接続部と、該オルタネータ接続部と連続する一部材で前記バッテリの側面側に折り曲げ形成された折り曲げ部と、該折り曲げ部と連続する一部材で前記バッテリの側面側に延設され電源を供給する電源供給接続部とを有したヒュージブルリンクユニットであって、前記電源供給接続部は、前記バッテリの側面に近接配置されていることを特徴とする。
【０００８】
請求項２記載の発明は、請求項１記載のヒュージブルリンクユニットであって、前記電源供給接続部は、前記折り曲げ部よりも前記バッテリの側面側に配置されていることを特徴とする。
【０００９】
請求項３記載の発明は、請求項１又は２記載のヒュージブルリンクユニットであって、前記折り曲げ部は、前記樹脂成形部から外部に露出して設けられていることを特徴とする。
【発明の効果】
【００１０】
請求項１のヒュージブルリンクユニットは、バッテリの側面側に延設され電源を供給する電源供給接続部がバッテリの側面に近接配置されているので、電源供給接続部がバッテリの側面側に張り出すことがなく、バッテリの側面側の配置スペースを大きくすることができる。
【００１１】
従って、バッテリの側面側に配置される周辺部材との干渉を抑制することができると共に、バッテリの側面側と周辺部材との間のスペースが狭い場合でも、ヒュージブルリンクユニットを配置することができる。
【００１２】
請求項２のヒュージブルリンクユニットは、電源供給接続部が折り曲げ部よりもバッテリの側面側に配置されているので、ヒューズエレメントのバッテリの上面側に配置されるバッテリ端子接続部とオルタネータ接続部とが設けられた部分の容量を変更する必要がなく、従来のヒューズエレメントを適用することができる。
【００１３】
請求項３のヒュージブルリンクユニットは、折り曲げ部が樹脂成形部から外部に露出して設けられているので、ヒューズエレメントに樹脂成形部を設けた後に折り曲げ部を折り曲げ加工することができ、樹脂成形部を形成させる際の金型などを簡易化することができる。
【図面の簡単な説明】
【００１４】
【図１】本発明の実施の形態に係るヒュージブルリンクユニットをバッテリに搭載した側面図である。
【図２】本発明の実施の形態に係るヒュージブルリンクユニットの斜視図である。
【図３】本発明の実施の形態に係るヒュージブルリンクユニットの上面図である。
【図４】本発明の実施の形態に係るヒュージブルリンクユニットの正面図である。
【図５】本発明の実施の形態に係るヒュージブルリンクユニットの側面図である。
【図６】本発明の実施の形態に係るヒューズエレメントの斜視図である。
【図７】本発明の実施の形態に係るヒューズエレメントの正面図である。
【図８】本発明の実施の形態に係るヒューズエレメントの上面図である。
【図９】本発明の実施の形態に係るヒューズエレメントの側面図である。
【図１０】本発明の実施の形態に係るヒューズエレメントの下面図である。
【発明を実施するための形態】
【００１５】
図１〜図１０を用いて本発明の実施の形態に係るヒュージブルリンクユニットについて説明する。
【００１６】
本実施の形態に係るヒュージブルリンクユニット１は、複数の可溶体部３が設けられたヒューズエレメント５と、ヒューズエレメント５を絶縁性の樹脂でモールドした樹脂成形部７とを備え、ヒューズエレメント５は、導電性の平板状に形成されバッテリ９の上面に設けられたバッテリ端子１１に接続されるバッテリ端子接続部１３と、バッテリ端子接続部１３と連続する一部材でバッテリ９の上面側に延設されオルタネータ（不図示）に接続されるオルタネータ接続部１５と、オルタネータ接続部１５と連続する一部材でバッテリ９の側面側に折り曲げ形成された折り曲げ部１７と、折り曲げ部１７と連続する一部材でバッテリ９の側面側に延設され電源を供給する電源供給接続部１９とを有する。そして、電源供給接続部１９は、バッテリ９の側面に近接配置されている。
【００１７】
また、電源供給接続部１９は、折り曲げ部１７よりもバッテリ９の側面側に配置されている。
【００１８】
図１〜１０に示すように、ヒューズエレメント５は、平板状の導電性材料を打ち抜き加工して設けられ、複数の可溶体部３が設けられている。複数の可溶体部３は、基部よりも幅が狭く形成され、所定以上の電流が流れることにより溶断可能となっている。また、バッテリ９の上面側に配置される可溶体部３には、錫や鉛などの金属チップがヒューズエレメント５と一体に設けられている。このヒューズエレメント５は、バッテリ端子接続部１３と、オルタネータ接続部１５と、折り曲げ部１７と、電源供給接続部１９とを有し、絶縁性の樹脂でモールド成形された樹脂成形部７が設けられている。
【００１９】
バッテリ端子接続部１３は、筐体で形成されたバッテリ９の上面に設けられたバッテリポスト２１と電気的に接続されたバッテリ端子１１に接続される。このバッテリ端子接続部１３には、接続孔２３が設けられ、この接続孔２３にバッテリ端子１１のスタッドボルト（不図示）が接続され、バッテリ端子１１とヒュージブルリンクユニット１とが電気的に接続される。このようなバッテリ端子接続部１３は、例えば、２つの可溶体部３を介して２つのオルタネータ接続部１５と一体的に設けられている。
【００２０】
オルタネータ接続部１５は、バッテリ端子接続部１３と連続する一部材で形成され、バッテリ９の上面側に配置されている。このオルタネータ接続部１５には、スタッドボルト２５が挿通接続される接続孔２７が設けられ、スタッドボルト２５には発電手段としてのオルタネータが電気的に接続される。このオルタネータ接続部１５及びバッテリ端子接続部１３の端部には、折り曲げ部１７が一体的に設けられている。
【００２１】
折り曲げ部１７は、オルタネータ接続部１５及びバッテリ端子接続部１３と連続する一部材で形成され、バッテリ９の側面側、詳細にはバッテリ９の下面側に向けて折り曲げ加工されている。この折り曲げ部１７には、連続する一部材として、さらにバッテリ９の側面側に折り曲げ加工された傾斜部２９が設けられている。この傾斜部２９のうちバッテリ端子接続部１３に形成された傾斜部２９には、バッテリ９の側面に沿って延設された、例えば、２つの電源供給接続部１９が一体的に設けられている。
【００２２】
電源供給接続部１９は、一方の電源供給接続部１９が可溶体部３を介して傾斜部２９と連続する一部材で形成され、他方の電源供給接続部１９が傾斜部２９と連続する一部材で形成されている。この電源供給接続部１９には、電気接続箱（不図示）や電装部品（不図示）などに接続されたワイヤハーネス（不図示）が接続されるスタッドボルト３１が設けられ、電装部品に電気接続箱を介して、或いは直接、電源を供給する。このような電源供給接続部１９は、バッテリ９の側面側に近接配置、詳細には折り曲げ部１７よりもバッテリ９の側面側に配置され、オルタネータ接続部１５のスタッドボルト２５の下方に配置されている。これにより、バッテリ９のバッテリポスト２１から電源供給接続部１９の最外周部までの長さＸを従来よりも縮小させることができ、電源供給接続部１９の外側のスペースＹを従来よりも拡大させることができる。
【００２３】
このようなヒューズエレメント５は、折り曲げ部１７及び傾斜部２９を折り曲げ加工した後、絶縁性の樹脂でモールド成形されて樹脂成形部７が設けられる。このような樹脂成形部７の形成により、ヒューズエレメント５の折り曲げ部１７や傾斜部２９の折り曲げ加工が容易となる。
【００２４】
なお、折り曲げ部１７及び傾斜部２９を折り曲げ加工する前の平板状のヒューズエレメント５に対して、折り曲げ部１７及び傾斜部２９が外部に露出するように、バッテリ端子接続部１３とオルタネータ接続部１５と電源供給接続部１９に樹脂成形部７を設けてもよい。この場合、折り曲げ部１７及び傾斜部２９が樹脂成形部７から外部に露出して設けられているので、ヒューズエレメント５に樹脂成形部７を設けた後に折り曲げ部１７及び傾斜部２９を折り曲げ加工することができ、樹脂成形部７を形成させる際の金型などを簡易化することができる。
【００２５】
このようなヒュージブルリンクユニット１では、バッテリ９の側面側に延設され電源を供給する電源供給接続部１９がバッテリ９の側面に近接配置されているので、電源供給接続部１９がバッテリ９の側面側に張り出すことがなく、バッテリ９の側面側の配置スペースを大きくすることができる。
【００２６】
従って、バッテリ９の側面側に配置される周辺部材との干渉を抑制することができると共に、バッテリ９の側面側と周辺部材との間のスペースが狭い場合でも、ヒュージブルリンクユニット１を配置することができる。
【００２７】
また、電源供給接続部１９が折り曲げ部１７よりもバッテリ９の側面側に配置されているので、ヒューズエレメント５のバッテリ９の上面側に配置されるバッテリ端子接続部１３とオルタネータ接続部１５とが設けられた部分の容量を変更する必要がなく、従来のヒューズエレメントを適用することができる。
【００２８】
なお、本発明の実施の形態に係るヒュージブルリンクユニットでは、折り曲げ部と傾斜部とを設けて電源供給接続部をバッテリの側面側に近接配置させているが、折り曲げ部の折り曲げをバッテリの側面側に大きくさせ、傾斜部を設けずに電源供給接続部をバッテリの側面側に近接配置させてもよい。
【符号の説明】
【００２９】
１…ヒュージブルリンクユニット
３…可溶体部
５…ヒューズエレメント
７…樹脂成形部
９…バッテリ
１１…バッテリ端子
１３…バッテリ端子接続部
１５…オルタネータ接続部
１７…折り曲げ部
１９…電源供給接続部
【図１】
2010170822.tif 000003
【図２】
2010170822.tif 000004
【図３】
2010170822.tif 000005
【図４】
2010170822.tif 000006
【図５】
2010170822.tif 000007
【図６】
2010170822.tif 000008
【図７】
2010170822.tif 000009
【図８】
2010170822.tif 000010
【図９】
2010170822.tif 000011
【図１０】
2010170822.tif 000012